(57)【特許請求の範囲】
【請求項１】
第１のセルグループ（ＣＧ）及び第２のＣＧを含む複数のＣＧを用いて通信するユーザ端末であって、
各ＣＧにおけるＰＲＡＣＨ（Physical  Random  Access  Channel）の送信電力を制御するＰＨＹレイヤ処理部と、
前記ＰＲＡＣＨの再送を制御するＭＡＣレイヤ処理部と、を有し、
前記ＰＨＹレイヤ処理部は、オーバラップして送信される複数のＣＧのＰＲＡＣＨの総送信電力が許容最大送信電力を超える場合、前記第１のＣＧのＰＲＡＣＨに優先的に送信電力を割り当てるように制御し、
前記ＭＡＣレイヤ処理部は、オーバラップして送信される複数のＣＧのＰＲＡＣＨの総送信電力が許容最大送信電力を超える場合に前記ＰＨＹレイヤ処理部から報告される通知に基づいて、前記第２のＣＧのＰＲＡＣＨの再送におけるパワーランピングを制御することを特徴とするユーザ端末。
【請求項２】
前記ＰＨＹレイヤ処理部は、オーバラップして送信される複数のＣＧのＰＲＡＣＨの総送信電力が許容最大送信電力を超える場合、前記第２のＣＧのＰＲＡＣＨの送信電力をパワースケーリング又はドロップして、前記総送信電力が前記許容最大送信電力を超えないように制御することを特徴とする請求項１に記載のユーザ端末。
【請求項３】
前記ＭＡＣレイヤ処理部は、前記第２のＣＧのＰＲＡＣＨ送信回数に基づいて、前記第２のＣＧのＰＲＡＣＨの再送におけるパワーランピングを制御することを特徴とする請求項１又は請求項２に記載のユーザ端末。
【請求項４】
前記ＭＡＣレイヤ処理部は、ＲＡＲ（Random  Access  Response）ウィンドウにおいて全くＲＡＲを受信していない場合又は受信したいずれのＲＡＲにも送信したＲＡ（Random  Access）プリアンブルに対応する識別子が含まれていない場合、かつ、前記ＰＨＹレイヤ処理部からの前記通知を受け取っていない場合に、前記第２のＣＧのＰＲＡＣＨ送信回数を１でインクリメントすることを特徴とする請求項３に記載のユーザ端末。
【請求項５】
前記第１のＣＧのＰＲＡＣＨは、ＰＣｅｌｌ（Primary  Cell）で送信されることを特徴とする請求項１から請求項４のいずれかに記載のユーザ端末。
【請求項６】
第１のセルグループ（ＣＧ）及び第２のＣＧを含む複数のＣＧを用いて通信するユーザ端末の無線通信方法であって、
各ＣＧにおけるＰＲＡＣＨ（Physical  Random  Access  Channel）の送信電力を制御するＰＨＹレイヤ処理工程と、
前記ＰＲＡＣＨの再送を制御するＭＡＣレイヤ処理工程と、を有し、
前記ＰＨＹレイヤ処理工程は、オーバラップして送信される複数のＣＧのＰＲＡＣＨの総送信電力が許容最大送信電力を超える場合、前記第１のＣＧのＰＲＡＣＨに優先的に送信電力を割り当てるように制御し、
前記ＭＡＣレイヤ処理工程は、オーバラップして送信される複数のＣＧのＰＲＡＣＨの総送信電力が許容最大送信電力を超える場合に前記ＰＨＹレイヤ処理工程から報告される通知に基づいて、前記第２のＣＧのＰＲＡＣＨの再送におけるパワーランピングを制御することを特徴とする無線通信方法。
【請求項７】
第１のセルグループ（ＣＧ）及び第２のＣＧを含む複数のＣＧを用いて通信するユーザ端末を含む無線通信システムであって、
前記ユーザ端末は、各ＣＧにおけるＰＲＡＣＨ（Physical  Random  Access  Channel）の送信電力を制御するＰＨＹレイヤ処理部と、
前記ＰＲＡＣＨの再送を制御するＭＡＣレイヤ処理部と、を有し、
前記ＰＨＹレイヤ処理部は、オーバラップして送信される複数のＣＧのＰＲＡＣＨの総送信電力が許容最大送信電力を超える場合、前記第１のＣＧのＰＲＡＣＨに優先的に送信電力を割り当てるように制御し、
前記ＭＡＣレイヤ処理部は、オーバラップして送信される複数のＣＧのＰＲＡＣＨの総送信電力が許容最大送信電力を超える場合に前記ＰＨＹレイヤ処理部から報告される通知に基づいて、前記第２のＣＧのＰＲＡＣＨの再送におけるパワーランピングを制御することを特徴とする無線通信システム。
【発明の詳細な説明】
【技術分野】
【０００１】
本発明は、次世代移動通信システムにおけるユーザ端末、無線通信方法及び無線通信システムに関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。
【０００３】
ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００４】
ＬＴＥからのさらなる広帯域化及び高速化を目的として、例えばＬＴＥアドバンスト又はＬＴＥエンハンスメントと呼ばれるＬＴＥの後継システム（ＬＴＥ−Ａとも呼ばれる）が検討され、ＬＴＥ  Ｒｅｌ−１０／１１として仕様化されている。ＬＴＥ  Ｒｅｌ−１０／１１のシステム帯域は、ＬＴＥシステムのシステム帯域を一単位とする少なくとも１つのコンポーネントキャリア（ＣＣ：Component  Carrier）を含んでいる。このように、複数のＣＣを集めて広帯域化することをキャリアアグリゲーション（ＣＡ：Carrier  Aggregation）という。
【０００５】
ＬＴＥのさらなる後継システムであるＬＴＥ  Ｒｅｌ−１２においては、複数のセルが異なる周波数帯（キャリア）で用いられる様々なシナリオが検討されている。複数のセルを形成する無線基地局が実質的に同一の場合には、上述のＣＡを適用可能である。一方、各セルを形成する無線基地局が完全に異なる場合には、デュアルコネクティビティ（ＤＣ：Dual  Connectivity）を適用することが検討されている。
【先行技術文献】
【非特許文献】
【０００６】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００７】
ＬＴＥシステムでは、初期接続や同期確立、通信再開などに用いる物理ランダムアクセスチャネル（ＰＲＡＣＨ：Physical  Random  Access  Channel）の重要性が高い。非デュアルコネクティビティの場合には、２つ以上のＰＲＡＣＨが同時に送信されることはなく、ＰＲＡＣＨの電力割り当てが最優先で行われていた。
【０００８】
しかしながら、デュアルコネクティビティを用いる無線通信システムにおいては、複数のＰＲＡＣＨを同時送信する場合がある。このため、各ＰＲＡＣＨの送信電力が適切に設定されない場合、システムのスループットが劣化する恐れがある。
【０００９】
本発明は、かかる点に鑑みてなされたものであり、デュアルコネクティビティを用いる無線通信システムにおいて、システムのスループット低下を抑制することができるユーザ端末、無線通信方法及び無線通信システムを提供することを目的の１つとする。
【課題を解決するための手段】
【００１０】
本発明の一態様に係るユーザ端末は、第１のセルグループ（ＣＧ）及び第２のＣＧを含む複数のＣＧを用いて通信するユーザ端末であって、各ＣＧにおけるＰＲＡＣＨ（Physical  Random  Access  Channel）の送信電力を制御するＰＨＹレイヤ処理部と、前記ＰＲＡＣＨの再送を制御するＭＡＣレイヤ処理部と、を有し、前記ＰＨＹレイヤ処理部は、オーバラップして送信される複数のＣＧのＰＲＡＣＨの総送信電力が許容最大送信電力を超える場合、前記第１のＣＧのＰＲＡＣＨに優先的に送信電力を割り当てるように制御し、前記ＭＡＣレイヤ処理部は、オーバラップして送信される複数のＣＧのＰＲＡＣＨの総送信電力が許容最大送信電力を超える場合に前記ＰＨＹレイヤ処理部から報告される通知に基づいて、前記第２のＣＧのＰＲＡＣＨの再送におけるパワーランピングを制御することを特徴とする。
【発明の効果】
【００１１】
本発明の一態様によれば、デュアルコネクティビティを用いる無線通信システムにおいて、システムのスループット低下を抑制することが可能となる。
【図面の簡単な説明】
【００１２】
【図１】ランダムアクセスの概要を示す図である。
【図２】キャリアアグリゲーション及びデュアルコネクティビティにおけるセル構成の一例を示す図である。
【図３】デュアルコネクティビティのランダムアクセスを説明する図である。
【図４】デュアルコネクティビティの送信電力制御を説明する図である。
【図５】第１の実施形態におけるＰＲＡＣＨのパワーランピングの一例を説明する図である。
【図６】第２の実施形態におけるＰＲＡＣＨのパワーランピングの一例を説明する図である。
【図７】第３の実施形態におけるＰＲＡＣＨのパワーランピングの一例を説明する図である。
【図８】各実施形態におけるＰＲＡＣＨの再送の一例を示す図である。
【図９】第１及び第３の実施形態において、ランプアップ量を式３で算出する場合の一例を示す図である。
【図１０】第１及び第３の実施形態において、ランプアップ量を式３の変形例で算出する場合の一例を示す図である。
【図１１】ＲＡＲ受信失敗回数と、同時送信でパワーリミテッドとなったＰＲＡＣＨ送信回数と、に基づくパワーランピングを適用したＰＲＡＣＨ再送制御のシーケンスの一例を示す図である。
【図１２】図１１で想定される実際のシーケンスの一例を示す図である。
【図１３】図１１で想定される実際のシーケンスの異なる一例を示す図である。
【図１４】本発明の一実施形態に係る無線通信システムの概略構成の一例を示す図である。
【図１５】本発明の一実施形態に係る無線基地局の全体構成の一例を示す図である。
【図１６】本発明の一実施形態に係る無線基地局の機能構成の一例を示す図である。
【図１７】本発明の一実施形態に係るユーザ端末の全体構成の一例を示す図である。
【図１８】本発明の一実施形態に係るユーザ端末の機能構成の一例を示す図である。
【発明を実施するための形態】
【００１３】
ＬＴＥシステムでは、初期接続や同期確立、通信再開などに際し、上りリンクで物理ランダムアクセスチャネル（ＰＲＡＣＨ：Physical  Random  Access  Channel）を送信してランダムアクセスを行う。ランダムアクセスは、衝突型ランダムアクセス（ＣＢＲＡ：Contention-Based  Random  Access）と非衝突型ランダムアクセス（Ｎｏｎ−ＣＢＲＡ）という２種類のタイプに分けることができる。なお、非衝突型ＲＡは、コンテンションフリーＲＡ（ＣＦＲＡ：Contention-Free  Random  Access）と呼ばれてもよい。
【００１４】
衝突型ランダムアクセスにおいて、ユーザ端末は、セル内に用意された複数のランダムアクセスプリアンブル（contention  preamble）からランダムに選択したプリアンブルをＰＲＡＣＨで送信する。この場合、ユーザ端末間で同一のランダムアクセスプリアンブルを使用することにより、衝突（Contention）が発生する可能性がある。
【００１５】
非衝突型ランダムアクセスにおいて、ユーザ端末は、あらかじめネットワークから割り当てられたＵＥ固有のランダムアクセスプリアンブル（dedicated  preamble）をＰＲＡＣＨで送信する。この場合、ユーザ端末間で異なるランダムアクセスプリアンブルが割り当てられているため、衝突が発生することはない。
【００１６】
衝突型ランダムアクセスは、初期接続、上りリンクの通信開始又は再開などに際して行われる。非衝突型ランダムアクセスは、ハンドオーバ、下りリンクの通信開始又は再開などに際して行われる。
【００１７】
図１は、ランダムアクセスの概要を示している。衝突型ランダムアクセスはＳｔｅｐ１からＳｔｅｐ４、非衝突型ランダムアクセスはＳｔｅｐ０からＳｔｅｐ２で構成される。
【００１８】
衝突型ランダムアクセスの場合、はじめにユーザ端末ＵＥは、ランダムアクセスプリアンブル（ＰＲＡＣＨ）を当該セルに設定されているＰＲＡＣＨリソースで送信する（メッセージ（Ｍｓｇ：Ｍｅｓｓａｇｅ）１）。無線基地局ｅＮＢは、ランダムアクセスプリアンブルを検出すると、その応答としてランダムアクセスレスポンス（ＲＡＲ：Random  Access  Response）を送信する（メッセージ２）。ユーザ端末ＵＥは、ランダムアクセスプリアンブル送信後、所定の区間の間、メッセージ２の受信を試みる。メッセージ２の受信に失敗した場合には、ＰＲＡＣＨの送信電力を上げてメッセージ１を再度送信（再送）する。なお、信号の再送時に送信電力を増加させることを、パワーランピングともいう。なお、ユーザ端末ＵＥは、パワーランピングを行って得られる送信電力と、ＰＲＡＣＨを送信するサービングセルｃの最大送信電力PCMAX,cを比較し、２者のうち小さい方の送信電力でＰＲＡＣＨを送信する。したがって、パワーランピングを適用しても、PCMAX,cを超える送信電力とはならない。
【００１９】
ランダムアクセスレスポンスを受信したユーザ端末ＵＥは、ランダムアクセスレスポンスに含まれる上りグラントによって指定された物理上りリンク共有チャネル（ＰＵＳＣＨ：Physical  Uplink  Shared  Channel）でデータ信号を送信する（メッセージ３）。メッセージ３を受信した無線基地局ｅＮＢは、衝突解決（Contention  resolution）メッセージをユーザ端末ＵＥに送信する（メッセージ４）。ユーザ端末ＵＥは、メッセージ１から４によって同期を確保し、無線基地局ｅＮＢを識別すると、衝突型ランダムアクセス処理を完了しコネクションを確立する。
【００２０】
非衝突型ランダムアクセスの場合、はじめに無線基地局ｅＮＢは、ユーザ端末ＵＥに対してＰＲＡＣＨの送信を指示する物理下り制御チャネル（ＰＤＣＣＨ：Physical  Downlink  Control  Channel）を送信する（メッセージ０）。ユーザ端末ＵＥは、前記ＰＤＣＣＨにより指示されたタイミングでランダムアクセスプリアンブル（ＰＲＡＣＨ）を送信する（メッセージ１）。無線基地局ｅＮＢは、ランダムアクセスプリアンブルを検出すると、その応答情報であるランダムアクセスレスポンス（ＲＡＲ）を送信する（メッセージ２）。ユーザ端末は、メッセージ２の受信をもって非衝突型ランダムアクセス処理を完了する。なお、衝突型ランダムアクセスと同様、メッセージ２の受信に失敗した場合には、ＰＲＡＣＨの送信電力を上げてメッセージ１を再度送信する。
【００２１】
なお、ＰＲＡＣＨを用いたランダムアクセスプリアンブル（メッセージ１）の送信をＰＲＡＣＨの送信ともいい、ＰＲＡＣＨを用いたランダムアクセスレスポンス（メッセージ２）の受信をＰＲＡＣＨの受信ともいう。
【００２２】
ところで、ＬＴＥ−Ａシステムでは、半径数キロメートル程度の広範囲のカバレッジエリアを有するマクロセル内に、半径数十メートル程度の局所的なカバレッジエリアを有するスモールセルが形成されるＨｅｔＮｅｔ（Heterogeneous  Network）が検討されている。ＨｅｔＮｅｔ構成には、キャリアアグリゲーション及びデュアルコネクティビティの適用が可能である。
【００２３】
図２は、キャリアアグリゲーション及びデュアルコネクティビティにおけるセル構成の一例を示す図である。図２において、ＵＥは、５つのセル（Ｃ１−Ｃ５）に接続している。Ｃ１はＰＣｅｌｌ（Primary  Cell）であり、Ｃ２−Ｃ５はＳＣｅｌｌ（Secondary  Cell）である。
【００２４】
図２Ａは、キャリアアグリゲーションに係る無線基地局及びユーザ端末の通信を示している。図２Ａに示す例において、無線基地局ｅＮＢ１はマクロセルを形成する無線基地局（以下、マクロ基地局という）であり、無線基地局ｅＮＢ２はスモールセルを形成する無線基地局（以下、スモール基地局という）である。例えば、スモール基地局は、マクロ基地局に接続するＲＲＨ（Remote  Radio  Head）のような構成であってもよい。
【００２５】
キャリアアグリゲーションが適用される場合、１つのスケジューラ（例えば、マクロ基地局ｅＮＢ１の有するスケジューラ）が複数セルのスケジューリングを制御する。マクロ基地局ｅＮＢ１の有するスケジューラが複数セルのスケジューリングを制御する構成では、例えば光ファイバのような高速回線などの理想的バックホール（ideal  backhaul）で各無線基地局間が接続されることが想定される。
【００２６】
図２Ｂは、デュアルコネクティビティに係る無線基地局及びユーザ端末の通信を示している。デュアルコネクティビティが適用される場合、複数のスケジューラが独立して設けられ、当該複数のスケジューラ（例えば、無線基地局ＭｅＮＢの有するスケジューラ及び無線基地局ＳｅＮＢの有するスケジューラ）がそれぞれ管轄する１つ以上のセルのスケジューリングを制御する。無線基地局ＭｅＮＢの有するスケジューラ及び無線基地局ＳｅＮＢの有するスケジューラがそれぞれの管轄する１つ以上のセルのスケジューリングを制御する構成では、例えばＸ２インターフェースなどの遅延の無視できない非理想的バックホール（non-ideal  backhaul）で各無線基地局間が接続されることが想定される。
【００２７】
図２Ｂに示すように、デュアルコネクティビティでは、各無線基地局が、１つ又は複数のセルから構成されるセルグループ（ＣＧ：Cell  Group）を設定する。各セルグループは、同一無線基地局が形成する１つ以上のセル又は送信アンテナ装置、送信局などの同一送信ポイントが形成する１つ以上のセルから構成される。
【００２８】
ＰＣｅｌｌを含むセルグループはマスタセルグループ（ＭＣＧ：Master  Cell  Group）と呼ばれ、マスタセルグループ以外のセルグループはセカンダリセルグループ（ＳＣＧ：Secondary  Cell  Group）と呼ばれる。ＭＣＧ及びＳＣＧを構成するセルの合計数は、所定値（例えば、５セル）以下となるように設定される。
【００２９】
ＭＣＧが設定される（ＭＣＧを用いて通信する）無線基地局はマスタ基地局（ＭｅＮＢ：Master  eNB）と呼ばれ、ＳＣＧが設定される（ＳＣＧを用いて通信する）無線基地局はセカンダリ基地局（ＳｅＮＢ：Secondary  eNB）と呼ばれる。
【００３０】
デュアルコネクティビティでは、無線基地局間はキャリアアグリゲーションと同等のタイトな協調は前提としない。そのため、ユーザ端末は、セルグループごとに下りリンクＬ１／Ｌ２制御（ＰＤＣＣＨ／ＥＰＤＣＣＨ）、上りリンクＬ１／Ｌ２制御（ＰＵＣＣＨ／ＰＵＳＣＨによるＵＣＩ（Uplink  Control  Information）フィードバック）を独立に行う。したがってＳｅＮＢにおいても、ＰＣｅｌｌと同等の機能（例えば、共通サーチスペース、ＰＵＣＣＨなど）を有する特別なＳＣｅｌｌが必要となる。ＰＣｅｌｌと同等の機能を有する特別なＳＣｅｌｌのことを、「ＰＳＣｅｌｌ」、「プライマリＳＣｅｌｌ」などともいう。
【００３１】
デュアルコネクティビティでは、ＭＣＧ及びＳＣＧにおいて、それぞれランダムアクセスがサポートされる。図３は、デュアルコネクティビティのランダムアクセスを説明する図である。図３に示すように、ＭＣＧ及びＳＣＧに対してそれぞれランダムアクセス手順区間が設けられる。これらの区間において、ユーザ端末ＵＥはＰＲＡＣＨを送信する。
【００３２】
ＭＣＧでは、ＰＣｅｌｌが衝突型ランダムアクセスと非衝突型ランダムアクセスの両方をサポートし、ｓＴＡＧ（secondary  Timing  Advance  Group）のＳＣｅｌｌは非衝突型ランダムアクセスのみをサポートする。ＳＣＧでは、ＰＳＣｅｌｌが衝突型ランダムアクセスと非衝突型ランダムアクセスの両方をサポートし、ｓＴＡＧのＳＣｅｌｌは非衝突型ランダムアクセスのみをサポートする。
【００３３】
ランダムアクセスは、パワーリミテッド（Power-limited）状態でない限りＭＣＧ及びＳＣＧで並行して行われてもよい。例えば、図３に示すように、ランダムアクセス手順区間はセルグループ間でオーバラップしていてもよい。また、図３に示すように、ＰＲＡＣＨはセルグループ間で同時送信となってもよい。また、ＰＲＡＣＨがセルグループ間で同時送信される場合、当該同時送信の期間を、同時送信区間ともいう。
【００３４】
ここで、パワーリミテッドとは、ユーザ端末が送信しようとするタイミングにおいて、当該サービングセル、当該ＴＡＧ、当該セルグループ又は当該ＵＥの、少なくともいずれか１つの観点で、最大送信電力に達している状態を意味する。例えば、パワーリミテッドとは、ユーザ端末の許容最大送信電力を超える上り信号の送信が要求された結果、上り信号の送信電力が制限されることをいう。つまり、ＭｅＮＢ（ＭＣＧ）に対する上り信号と、ＳｅＮＢ（ＳＣＧ）に対する上り信号と、の必要とされる送信電力の和がユーザ端末の許容最大送信電力を超えることをいう。ここで、必要とされる送信電力（所望電力、所望送信電力などともいう）は、無線基地局から通知される要求電力（要求送信電力）及び、当該要求電力に基づいてパワーランピングを適用して増加した送信電力を含む。
【００３５】
デュアルコネクティビティでは、マスタ基地局ＭｅＮＢ、セカンダリ基地局ＳｅＮＢがそれぞれ独立にスケジューリングするので、マスタ基地局ＭｅＮＢ及びセカンダリ基地局ＳｅＮＢに対するユーザ端末の合計送信電力が許容最大送信電力を超えない範囲で、送信電力を動的に調整する送信電力制御をすることは困難である。ユーザ端末は、必要となる合計送信電力（総送信電力、送信電力の和などともいう）がユーザ端末の許容最大送信電力を超える場合、許容最大送信電力を超えない値になるまで、電力をスケールダウン（パワースケーリング）するか、一部又は全部のチャネル又は信号を欠落させる処理（ドロッピング、ドロップなどともいう）を行う。なお、ドロッピングは電力を０とすることで実現されてもよい。
【００３６】
デュアルコネクティビティでは、マスタ基地局ＭｅＮＢ及びセカンダリ基地局ＳｅＮＢは、それぞれ対となる無線基地局（ＭｅＮＢにとってのＳｅＮＢ、ＳｅＮＢにとってのＭｅＮＢ）がどのような電力制御を行っているか把握できないため、このようなパワースケーリングやドロッピングが起こるタイミングや頻度を想定できないおそれがある。マスタ基地局ＭｅＮＢ及びセカンダリ基地局ＳｅＮＢにとって、想定外のパワースケーリングやドロッピングが行われた場合、正しく上りリンク通信を行うことができなくなり、通信品質やスループットが著しく劣化するおそれがある。
【００３７】
そこで、デュアルコネクティビティでは、少なくともＰＵＣＣＨ／ＰＵＳＣＨ送信に対して、セルグループごとの「保証送信電力（minimum  guaranteed  power）」という概念が導入される。ＭＣＧの保証送信電力をPMeNB、ＳＣＧの保証送信電力をPSeNBとする。マスタ基地局ＭｅＮＢ又はセカンダリ基地局ＳｅＮＢは、ユーザ端末に対し、保証送信電力PMeNBとPSeNBの両方、又はいずれか一方を、上位レイヤシグナリング（例えば、ＲＲＣシグナリング）により通知する。特にシグナリングや指示がない場合、ユーザ端末は、保証送信電力PMeNB＝０及び／又はPSeNB＝０と認識すればよい。
【００３８】
ユーザ端末は、マスタ基地局ＭｅＮＢから送信要求があった場合、すなわち上りグラント又はＲＲＣシグナリングによりＰＵＣＣＨ／ＰＵＳＣＨの送信がトリガされた場合に、ＭＣＧへの送信電力を計算し、要求電力が保証送信電力PMeNB以下であれば、当該要求電力をＭＣＧの送信電力として確定する。
【００３９】
ユーザ端末は、セカンダリ基地局ＳｅＮＢから送信要求があった場合、すなわち上りグラント又はＲＲＣシグナリングによりＰＵＣＣＨ／ＰＵＳＣＨの送信がトリガされた場合に、ＳＣＧへの送信電力を計算し、要求電力が保証送信電力PSeNB以下であれば、当該要求電力をＳＣＧの送信電力として確定する。
【００４０】
無線基地局ｘｅＮＢ（マスタ基地局ＭｅＮＢ又はセカンダリ基地局ＳｅＮＢ）の要求電力が保証送信電力PxeNB（保証送信電力PMeNB又はPSeNB）を超える場合には、ユーザ端末は、条件次第で送信電力が保証送信電力PxeNB以下となるように制御することがある。具体的には、ユーザ端末は、ＭＣＧ及びＳＣＧの合計要求電力がユーザ端末の許容最大送信電力PCMAXを超えるおそれがある場合には、保証送信電力PxeNBを超える電力が要求されたセルグループに対し、一部のチャネル又は信号のパワースケーリング（Power-scaling）やドロッピングを行う。その結果、送信電力が保証送信電力PxeNB以下となったら、それ以上のパワースケーリングやドロッピングは行わない。
【００４１】
すなわち、デュアルコネクティビティにおけるＰＵＣＣＨ／ＰＵＳＣＨの最大送信電力として、少なくとも保証送信電力PMeNB又はPSeNBは保証される。ただし、他セルグループの割り当てやユーザ端末の実装などに依存して、ＰＵＣＣＨ／ＰＵＳＣＨの最大送信電力として保証送信電力PMeNB又はPSeNBが保証されない場合もある。
【００４２】
図４Ａに示す例では、マスタ基地局ＭｅＮＢから保証送信電力PMeNB以下の電力が要求され、セカンダリ基地局ＳｅＮＢから保証送信電力PSeNBを超える電力が要求されている。ユーザ端末は、ＭＣＧ及びＳＣＧそれぞれにおいて、ＣＣごとの送信電力の総和が、保証送信電力PMeNB及びPSeNBを超えていないかどうか、両セルグループにおける全ＣＣの送信電力の総和が、許容最大送信電力PCMAXを超えていないかどうか、を確認する。
【００４３】
図４Ａに示す例では、両セルグループにおける全ＣＣの送信電力の総和が、許容最大送信電力PCMAXを超えるため、ユーザ端末は、パワースケーリング又はドロッピングを適用する。ＭＣＧのＣＣごとの送信電力の総和は保証送信電力PMeNBを超えないが、ＳＣＧのＣＣごとの送信電力の総和が保証送信電力PSeNBを超えることから、ユーザ端末は、ＭＣＧに対しては当該要求電力を送信電力として割り当て、残りの電力（許容最大送信電力PCMAXからＭＣＧの送信電力を減算して得られる余剰電力）をＳＣＧに割り当てる。ユーザ端末は、ＳＣＧに対しては、上記残りの電力を許容最大送信電力とみなし、ＳＣＧに対して、パワースケーリング又はドロッピングを適用する。
【００４４】
図４Ｂに示す例では、マスタ基地局ＭｅＮＢから保証送信電力PMeNBを超える電力が要求され、セカンダリ基地局ＳｅＮＢから保証送信電力PSeNB以下の電力が要求されている。両セルグループにおける全ＣＣの送信電力の総和が、許容最大送信電力PCMAXを超えるため、ユーザ端末は、パワースケーリング又はドロッピングを適用する。
【００４５】
図４Ｂに示す例では、ＳＣＧのＣＣごとの送信電力の総和は保証送信電力PSeNBを超えないが、ＭＣＧのＣＣごとの送信電力の総和が保証送信電力PMeNBを超えることから、ユーザ端末は、ＳＣＧに対しては当該要求電力を送信電力として割り当て、残りの電力（許容最大送信電力PCMAXからＳＣＧの送信電力を減算して得られる余剰電力）をＭＣＧに割り当てる。ユーザ端末は、ＭＣＧに対しては、上記残りの電力を許容最大送信電力とみなし、ＭＣＧに対して、パワースケーリング又はドロッピングを適用する。
【００４６】
パワースケーリングやドロッピングのルールとしては、Ｒｅｌ−１０／１１で規定されたルールを適用することもできる。Ｒｅｌ−１０／１１では、ＣＡにおいて複数のＣＣで同時送信が起こり得るため、全ＣＣの要求送信電力がユーザ端末あたりの許容最大送信電力PCMAXを超えた場合のパワースケーリングやドロッピングのルールが規定されている。上記残りの電力（許容最大送信電力PCMAXからＭＣＧの送信電力を減算して得られる余剰電力）を許容最大送信電力とみなし、当該セルグループで要求された送信電力を要求送信電力とみなせば、当該セルグループに対してＲｅｌ−１０／１１で規定されたルールでパワースケーリングやドロッピングを行うことができる。これらは既に規定された仕組みで実現できるため、ユーザ端末は、送信電力制御及びパワースケーリングやドロッピングのルールとして新しい仕組みを導入することなく、既存の仕組みの流用によって容易に実現することができる。
【００４７】
ＬＴＥシステムでは、ＰＲＡＣＨが初期接続や同期確立、通信再開などに用いられることから、ＰＲＡＣＨの送受信が高品質に実施されることが重要となる。非デュアルコネクティビティ（Non-DC）では、ＰＲＡＣＨの最大送信電力は、ＣＣあたりの最大送信電力PCMAX,cである。また、キャリアアグリゲーションを適用した場合には、ＰＲＡＣＨがＰＵＣＣＨ、ＰＵＳＣＨ又はＳＲＳ（Sounding  Reference  Signal）と同時送信となった場合、ＰＲＡＣＨに対して最優先で送信電力を割り当てることが規定されている。また、ＰＲＡＣＨとＰＵＣＣＨ／ＰＵＳＣＨを同時送信する場合に、送信電力が許容最大送信電力PCMAXを超えるときは、実際の送信電力がPCMAXを超えない値になるまで、ＰＵＣＣＨ／ＰＵＳＣＨの送信電力をパワースケーリングする。また、ＰＲＡＣＨとＳＲＳを同時送信する場合に、送信電力が許容最大送信電力PCMAXを超えるときは、実際の送信電力がPCMAXを超えないよう、ＳＲＳをドロッピングする。
【００４８】
このように、非デュアルコネクティビティでは、２つ以上のＰＲＡＣＨが同時に送信されることはなく、ＰＲＡＣＨの電力割り当てが最優先で行われていた。しかしながら、デュアルコネクティビティを用いる無線通信システムにおいては、複数のＣＧでＰＲＡＣＨを同時送信する場合がある。この場合に、各ＣＧのＰＲＡＣＨの最大送信電力をどのように決定するかは、未だ規定されていない。また、いずれのＣＧに優先的に送信電力割り当てを行うかという優先ルールについても、未だ規定されていない。このため、ＰＲＡＣＨの送信電力が適切に設定されない場合、システムのスループットが劣化する恐れがある。
【００４９】
そこで、本発明者らは、ＭｅＮＢ（又はＰＣｅｌｌ）で無線リンク障害（ＲＬＦ：Radio  Link  Failure）が発生すると、セルの再接続が必要となり、システムのスループットが特に劣化することに着眼した。また、本発明者らは、ＭｅＮＢ（又はＰＣｅｌｌ）におけるＲＬＦは、ＭｅＮＢ（又はＰＣｅｌｌ）に送信したＰＲＡＣＨの電力が不足すると発生する可能性が高くなることに着眼した。本発明者らは、上記着眼点に基づいて、デュアルコネクティビティを用いる無線通信システムにおいて、ＰＲＡＣＨの同時送信区間では、ＭｅＮＢ（又はＰＣｅｌｌ）に送信するＰＲＡＣＨに優先的に送信電力を割り当てることを着想した。また、ＰＲＡＣＨ再送時のパワーランピングについても、ＭｅＮＢ（又はＰＣｅｌｌ）に対して優先的に電力制御することを着想し、本発明に至った。
【００５０】
本発明によれば、ＭｅＮＢ又はＰＣｅｌｌにおけるＲＬＦの発生を低減することができるため、セル再接続による遅延を抑制することができる。その結果、システムのスループット低下を抑制することが可能となる。
【００５１】
以下、本発明の実施形態について添付図面を参照して詳細に説明する。なお、以下の説明では、ＭＣＧとＳＣＧが１つずつ設定され、ＭＣＧ（ＭｅＮＢ）に対するＰＲＡＣＨをＳＣＧ（ＳｅＮＢ）に対するＰＲＡＣＨより優先して電力制御する場合を例に挙げて説明するが、実施形態はこれに限られない。
【００５２】
（ＰＲＡＣＨ同時送信時の電力制御）
異なるＣＧ間のＰＲＡＣＨ同時送信でパワーリミテッドとなった場合（ＵＥがＰＲＡＣＨ同時送信によりパワーリミテッドとなることを検出した場合）、以下のいずれかの実施形態（第１〜３の実施形態）を適用して、すべての同時送信区間において全ＣＧの送信電力の合計（合計送信電力）がPCMAXを超えないように制御する。
【００５３】
第１の実施形態では、ＳＣＧのＰＲＡＣＨをパワースケーリングする。つまり、ＭＣＧのＰＲＡＣＨの送信電力は、Ｒｅｌ−１１と同様に決定して与え、ＳＣＧのＰＲＡＣＨの送信電力は、ＭＣＧのＰＲＡＣＨの送信電力をPCMAXから引いた分を与える。
【００５４】
第２の実施形態では、両ＣＧのＰＲＡＣＨをパワースケーリングする。例えば、以下の式１を満たす係数Ｗを求めて、Ｗを用いて両ＣＧのＰＲＡＣＨをパワースケーリングする。つまり、ＭＣＧのＰＲＡＣＨの送信電力及びＳＣＧのＰＲＡＣＨの送信電力を、同じ割合で低減する。
【００５５】
【数１】
0005864691.tif 000002
【００５６】
ここで、PMCG_PRACHはＭＣＧのＰＲＡＣＨの所望電力であり、PSCG_PRACHはＳＣＧのＰＲＡＣＨの所望電力である。
【００５７】
あるいは、以下の式２を満たすように予め設定された２つの所定の値（Ppre_MCG_PRACH、Ppre_SCG_PRACHとする）に両ＣＧのＰＲＡＣＨをパワースケーリングする。これら２つの所定の値（Ppre_MCG_PRACH、Ppre_SCG_PRACH）は、予め規定されていてもよいし、ユーザ端末に対し、システム情報ブロックやRRC等の上位レイヤシグナリングにより通知されていてもよい。
【００５８】
【数２】
0005864691.tif 000003
【００５９】
第３の実施形態では、ＳＣＧのＰＲＡＣＨをドロップする。この場合、ＵＥは、ＳＣＧのＰＲＡＣＨを送信しない。なお、ＭＣＧ  ＰＲＡＣＨの電力割り当ては、Ｒｅｌ−１１までと同様に行ってもよいし、別の方針に基づいて行ってもよい。
【００６０】
以上のように、各実施形態では、ＭＣＧ  ＰＲＡＣＨを、ＳＣＧ  ＰＲＡＣＨより優先して、少なくともＳＣＧ  ＰＲＡＣＨと同等以上の電力を割り当てるように制御が実施される。
【００６１】
（各ＣＧのＰＲＡＣＨのパワーランピング）
次に、各実施形態について、ＵＥによるＰＲＡＣＨ（Ｍｓｇ１）送信後、ＵＥがＲＡＲ（Ｍｓｇ２）を所定の時間内に受信できなかった場合を、図５〜７を参照して説明する。この場合、ＵＥは、ＰＲＡＣＨのパワーランピングを行って再送する。図５〜７は、それぞれ第１、第２及び第３の実施形態におけるＰＲＡＣＨのパワーランピングの一例を説明する図である。各図では再送を２回実施する（送信試行を３回実施する）例が示されている。
【００６２】
第１の実施形態では、ＭＣＧのＰＲＡＣＨのパワーランピングは、ＭＣＧのＰＲＡＣＨを単独で送信するときと同様に行う。一方、ＳＣＧのＰＲＡＣＨのパワーランピングは、ＭＣＧのＰＲＡＣＨを考慮して制限する（例えば、ＭＣＧのＰＲＡＣＨが再送されなくなるまで実施されない）。
【００６３】
第２の実施形態では、既に両ＰＲＡＣＨによりパワーリミテッドになっているため、パワーランピングを行うことはできない。つまり、ＭＣＧのＰＲＡＣＨも、ＳＣＧのＰＲＡＣＨも、前回の送信と同一電力（パワーランピングなし）でＰＲＡＣＨを再送することになる。
【００６４】
第３の実施形態（ＳＣＧのＰＲＡＣＨをドロップする場合）では、第１の実施形態と同様に、ＭＣＧのＰＲＡＣＨのパワーランピングは、ＭＣＧのＰＲＡＣＨを単独で送信するときと同様に行う。一方、ＳＣＧのＰＲＡＣＨは、ＭＣＧのＰＲＡＣＨが再送されなくなるまで、送信されない。
【００６５】
以上説明したように、第１の実施形態によれば、ＭＣＧ  ＰＲＡＣＨの電力割り当て／パワーランピングをＲｅｌ−１１までと同様に行うことで、ＭＣＧ  ＰＲＡＣＨのカバレッジを適切に維持することができる。また、第２の実施形態によれば、ＳＣＧ  ＰＲＡＣＨの電力をある程度維持することができるので、ＳＣＧでのランダムアクセス成功確率を上げ、ＳＣＧへの接続遅延を低減することができる。
【００６６】
また、第３の実施形態によれば、ＭＣＧ  ＰＲＡＣＨの電力割り当て／パワーランピングをＲｅｌ−１１までと同様に行うことで、ＭＣＧ  ＰＲＡＣＨカバレッジを適切に保つことができる。さらに、ＳＣＧでの不適切な電力（例えば、少なすぎる電力）によるＰＲＡＣＨの無駄吹き（無駄な送信）を回避し、電力消費の増大を抑えることができる。
【００６７】
なお、いずれの実施形態でも、一方のＣＧでＭｓｇ２受信が成功次第、他方のＣＧでは適切なパワーランピングによるＰＲＡＣＨ再送ができるようになる。図８は、各実施形態におけるＰＲＡＣＨの再送の一例を示す図である。この例では、両ＣＧの１回目のＰＲＡＣＨ送信に対して、両ＣＧでＭｓｇ２の受信に失敗している。両ＣＧの２回目のＰＲＡＣＨ送信に対して、ＭＣＧではＭｓｇ２の受信に成功し、ＳＣＧではＭｓｇ２の受信に失敗している。そして、ＳＣＧの３回目のＰＲＡＣＨ送信が行われる。
【００６８】
上述の実施形態によれば、再送時ＭＣＧとＳＣＧの同時送信の場合、ＳＣＧはパワーランピングできないため、図８におけるＳＣＧの２回目のＰＲＡＣＨ送信は、パワーランピングできない。一方、図８におけるＳＣＧの３回目のＰＲＡＣＨ送信は、ＳＣＧの単独送信であるため、パワーランピングを適用することができる。
【００６９】
（各ＣＧのＰＲＡＣＨのパワーランピングにおけるランプアップ量）
次に、各実施形態に係るＰＲＡＣＨのパワーランピングにおけるランプアップ量を説明する。ランプアップ量とは、初回の送信電力（例えば、無線基地局からの要求電力）を基準とした所望電力の増分をいう。具体的には、以下の式３で算出したランプアップ量を適用する。
【００７０】
（式３）
ランプアップ量＝（ＲＡＲ受信失敗回数−同時送信でパワーリミテッドとなったＰＲＡＣＨ試行回数）×ＲａｍｐｉｎｇＳｔｅｐ
【００７１】
ここで、ＲａｍｐｉｎｇＳｔｅｐは、ＲＡＲ受信失敗回数が１増加するときのランプアップ量の増分を示す。なお、式３におけるＲＡＲ受信失敗回数は、ＰＲＡＣＨ試行回数、ＰＲＡＣＨ再送回数、ＰＲＡＣＨ試行回数−１、などで置き換えてもよい。なお、ＰＲＡＣＨ試行回数は、ＰＲＡＣＨ送信回数ともいう。また、上記の式はＳＣＧに適用するパワーランピングで用いられるものとするが、これに限られない。例えば、ＭＣＧで式３を適用してパワーランピングを行ってもよい。
【００７２】
なお、ＰＲＡＣＨのパワーランピングにおけるランプアップ量は、式３に限られない。例えば、ＲＡＲ受信失敗回数と、同時送信でパワーリミテッドとなったＰＲＡＣＨ送信回数と、に基づく他の関数、参照テーブルなどを用いてランプアップ量を算出してもよい。
【００７３】
式３によれば、ＰＲＡＣＨの単独送信試行回数に基づいて、ランプアップ量が決定される。このため、ＰＲＡＣＨの同時送信が終わり、単独送信となった場合に、必要以上の電力でＰＲＡＣＨが送信され、他セルに余計な干渉を及ぼすのを防ぐことができる。
【００７４】
具体的に、上記の実施形態に式３を適用した場合の例について、図９〜１０を参照して説明する。図９〜１０は、それぞれ、第１及び第３の実施形態におけるＰＲＡＣＨのパワーランピングによるランプアップ量の一例を説明する図である。各図Ａは第１の実施形態に、各図Ｂは第３の実施形態に対応する。
【００７５】
また、各図では、ＳＣＧ  ＰＲＡＣＨが４回送信試行される例が示されており、ＳＣＧ  ＰＲＡＣＨの２回目及び３回目の試行は、ＭＣＧ  ＰＲＡＣＨとの同時送信となっている。したがって、ＳＣＧ  ＰＲＡＣＨの２回目及び３回目の試行では、ランプアップに基づいて所望電力は増加するものの、ＭＣＧ  ＰＲＡＣＨもランプアップしているため、結果としてＳＣＧ  ＰＲＡＣＨの送信電力は所望電力より小さくなる。
【００７６】
以下では、上記式３を用いた場合のＳＣＧ  ＰＲＡＣＨの４回目の試行のランプアップ量について説明する。なお、特に断りのない限り、ＲＡＲ受信失敗回数は、同時送信によるＰＲＡＣＨのドロップによるものも含めてカウントする。
【００７７】
図９は、第１及び第３の実施形態において、ランプアップ量を式３で算出する場合の一例を示す図である。この例では、ＲＡＲ受信失敗回数が３であり、同時送信でパワーリミテッドとなったＰＲＡＣＨ試行回数が２であることから、ランプアップ量は１×ＲａｍｐｉｎｇＳｔｅｐとなる。
【００７８】
なお、式３は、同時送信によりパワーリミテッドとなったＰＲＡＣＨをＲＡＲ受信失敗回数にカウントしないことでも実現することができる。図１０は、第１及び第３の実施形態において、ランプアップ量を式３の変形例で算出する場合の一例を示す図である。この例では、ＲＡＲ受信失敗回数が１であることから、ランプアップ量は１×ＲａｍｐｉｎｇＳｔｅｐとなる。
【００７９】
なお、第２の実施形態についても式３を用いてランプアップ量を決定することができる。例えば、図６のように、第２の実施形態でＰＲＡＣＨ同時送信が３回続き、３回目のＭＣＧ  ＰＲＡＣＨが成功した場合、ＳＣＧ  ＰＲＡＣＨの４回目の試行においては、ＳＣＧ  ＰＲＡＣＨは式３を用いて０×ＲａｍｐｉｎｇＳｔｅｐをランプアップ量として適用することができる。
【００８０】
（ＰＨＹレイヤとＭＡＣレイヤの動作）
本発明に係るＰＲＡＣＨのパワーランピングについて、ＰＨＹレイヤとＭＡＣレイヤで実施される具体的な処理について説明する。図１１は、ＲＡＲ受信失敗回数と、同時送信でパワーリミテッドとなったＰＲＡＣＨ送信回数と、に基づくパワーランピングを適用したＰＲＡＣＨ再送制御のシーケンスの一例を示す図である。以下の説明で、単に「ＭＡＣレイヤ」と表記する場合、「ユーザ端末のＭＡＣレイヤ」のことを表す。
【００８１】
まず、ユーザ端末のＰＨＹレイヤに、ＰＲＡＣＨを送信する所定のイベントトリガが発生する。具体的には、Ｎｏｎ−ＣＢＲＡの場合、無線基地局のＰＨＹレイヤ（ＰＤＣＣＨ受信）がトリガであり（ステップＳ１１ａ）、ＣＢＲＡの場合、ＭＡＣレイヤがトリガである（ステップＳ１１ｂ）。ユーザ端末は、いずれかの上記トリガに基づいてＰＲＡＣＨを送信する（ステップＳ１２）。
【００８２】
当該ＰＲＡＣＨ送信が、異なる信号の送信（例えば、より優先度の高いＰＲＡＣＨ送信）によって、所望の品質（例えば、所望の送信電力）で送信できなかった（ドロッピング、パワースケーリング、部分的な欠落など）場合、ユーザ端末のＰＨＹレイヤは、ＰＲＡＣＨのパワーリミテッド状態に関する通知（例えば、ＰＲＡＣＨ送信がパワーリミテッドとなり正常送信されなかったという通知）をＭＡＣレイヤに報告する（ステップＳ１３）。上記ＰＲＡＣＨ送信がパワーリミテッドでなかった場合、ステップＳ１３の通知は行われない。
【００８３】
一方、ユーザ端末のＰＨＹレイヤは、ＰＲＡＣＨ送信後の所定期間（ＲＡＲウィンドウ）において、自身が送信したＰＲＡＣＨに対応するＲＡＲの受信を試みる（ステップＳ１４）。
【００８４】
ＲＡＲの受信が成功しなかった（受信に失敗した）場合、ユーザ端末のＰＨＹレイヤは、ＲＡＲ検出失敗（ＲＡＲ受信失敗）をＭＡＣレイヤに通知する（ステップＳ１５）。ＲＡＲの受信が成功しなかったと判断されるのは例えば以下のような場合である：（１）所定期間（ＲＡＲウィンドウ）において、全くＲＡＲを受信していない、（２）送信されたＰＲＡＣＨ（ＲＡプリアンブル）に対応するＲＡプリアンブルの識別子（identifier）（例えば、ＲＡ−ＲＮＴＩ（Random  Access  Radio  Network  Temporary  Identifier）が、受信したいずれのＲＡＲにも含まれていない。なお、ＲＡＲの受信が成功しなかったとの判断は、これらに限られない。
【００８５】
また、ステップＳ１５において、ユーザ端末のＰＨＹレイヤは、ＲＡＲ検出失敗を通知する代わりに、ＲＡＲの受信が成功した場合にＲＡＲ検出報告をＭＡＣレイヤに通知してもよい。
【００８６】
次に、ＭＡＣレイヤは、ＰＨＹレイヤからのＲＡＲ検出失敗の通知により、ＲＡＲ検出失敗を認識し、再送のためのＰＲＡＣＨ送信回数の設定を行う（ステップＳ１６）。なお、ＭＡＣレイヤは、ＰＨＹレイヤからＲＡＲ検出報告を受けていないことにより、ＲＡＲ検出失敗を認識してもよい。
【００８７】
ＭＡＣレイヤは、ＰＨＹレイヤで所定の時間内にＲＡＲが受信できなかった場合で、なおかつＰＨＹレイヤから当該ＰＲＡＣＨ送信がパワーリミテッドとなり正常に送信されなかったという通知（パワーリミテッド状態の通知）を受け取っていない場合、ＰＲＡＣＨ送信回数（PREAMBLE_TRANSMISSION_COUNTER）を＋１する（１でインクリメントする）。
【００８８】
一方、ＭＡＣレイヤは、ＰＨＹレイヤで所定の時間内にＲＡＲが受信できなかった場合で、なおかつＰＨＹレイヤからパワーリミテッド状態の通知を受け取った場合、ＰＲＡＣＨ送信回数（PREAMBLE_TRANSMISSION_COUNTER）を＋１しない（変更しない）。
【００８９】
以上から分かるように、本実施の形態において、PREAMBLE_TRANSMISSION_COUNTERは、式３の（ＲＡＲ受信失敗回数−同時送信でパワーリミテッドとなったＰＲＡＣＨ試行回数）に相当する。なお、PREAMBLE_TRANSMISSION_COUNTERの初期値は、０であってよい。
【００９０】
次に、PREAMBLE_TRANSMISSION_COUNTERが所定の閾値（例えば、preambleTransMax）＋１に達していない場合、ＭＡＣレイヤはＰＨＹレイヤに対し、ＰＲＡＣＨの再送を指示する（ステップＳ１７）。なお、PREAMBLE_TRANSMISSION_COUNTERが所定の閾値＋１に達した場合、ＭＡＣレイヤはさらに上位レイヤにランダムアクセスの問題を通知してもよいし、ランダムアクセス手順が失敗したと判断してもよい。
【００９１】
ここで、再度送信されるＰＲＡＣＨの送信電力はPREAMBLE_TRANSMISSION_COUNTERに基づいて、ＭＡＣレイヤがパワーランピングを適用して決定する。ＭＡＣレイヤは、例えば式３に基づいてランプアップ量を決定し、当該ランプアップ量（又はパワーランピング値）をＰＨＹレイヤに指示する。
【００９２】
また、再度送信されるＰＲＡＣＨの送信タイミングは、ＭＡＣレイヤが以下のように決めて、ＰＨＹレイヤに指示する。Ｎｏｎ−ＣＢＲＡの場合、ＲＡＲ受信可能区間の最後のサブフレームから所定時間経過（例えば、４ｍｓ）後の最初のＰＲＡＣＨリソースを、送信タイミングと決定する。これは、バックオフパラメータ値（backoff）を、所定の値（例えば、初期値（０））にした場合と等価である。
【００９３】
また、ＣＢＲＡの場合、ＲＡＲ受信可能区間の最後のサブフレームからバックオフ経過後のＰＲＡＣＨリソースを、送信タイミングと決定する。この場合のバックオフパラメータ値は、所定の値（例えば、初期値（０））、ＲＡＲで示される値（例えば、Backoff  Indicatorのフィールドで指定される値）、又は０とＲＡＲで示される値との間でユーザ端末ＵＥが自律的に選択する値（ただし、確率的には０とＲＡＲで示される値との間で一様分布するランダムな値）である。
【００９４】
ユーザ端末のＰＨＹレイヤは、ＭＡＣレイヤからＰＲＡＣＨ再送指示を受け取った場合、ステップＳ１２のＰＲＡＣＨを再送する（ステップＳ１８）。ここで、ＰＨＹレイヤは、ＰＲＡＣＨの送信電力を最終的に決定する（パワースケーリングなどの適用も、ＰＨＹレイヤが決める）。なお、ＰＨＹレイヤは、ＲＡＲを受信しなかった場合には、ＲＡＲの所定受信区間から所定の時間（例えば、４ｍｓ）後に、次のＰＲＡＣＨ送信ができるように準備を行う。
【００９５】
なお、図１１の例では、ステップＳ１３のパワーリミテッド状態に関する通知（情報）は、ＰＲＡＣＨ送信がパワーリミテッドとなり正常送信されなかったという通知であるものとしたが、これに限られない。例えば、当該パワーリミテッド状態に関する通知は、ＰＲＡＣＨ送信がパワーリミテッドでなく正常送信されたという通知であってもよい。この場合、ステップＳ１６において、ＭＡＣレイヤは、ＰＨＹレイヤで所定の時間内にＲＡＲが受信できなかった場合で、なおかつＰＨＹレイヤから当該ＰＲＡＣＨ送信がパワーリミテッドでなく正常に送信されたという通知を受け取った場合、ＰＲＡＣＨ送信回数（PREAMBLE_TRANSMISSION_COUNTER）を＋１するとしてもよい。
【００９６】
図１２及び図１３は、それぞれ、図１１に示したシーケンスにおいて、実際に想定されるシーケンスの一例を示す図である。図１１の場合と比べて、ステップＳ１３、Ｓ１６−Ｓ１８以外は同様である。図１２と図１３とは、ステップＳ１３の有無により違いが生じている。
【００９７】
図１２では、ユーザ端末のＰＨＹレイヤからＭＡＣレイヤに対して、ＰＲＡＣＨ送信がパワーリミテッド状態だった旨がステップＳ１３で通知されている。さらにステップＳ１５でＲＡＲ検出失敗が通知される。この場合、ステップＳ１６では、パワーリミテッド通知と、ＲＡＲ失敗通知の両方を受け取っているため、PREAMBLE_TRANSMISSION_COUNTERは＋１しない。したがって、ステップＳ１７でＰＨＹレイヤに通知されるランプアップ量も、変更されない（前回のＰＲＡＣＨ送信／再送に適用されるランプアップ量と同じ）。結果、ステップＳ１８では、前回のＰＲＡＣＨ送信／再送と同じ電力を考慮して、ＰＲＡＣＨ再送が行われる。
【００９８】
一方、図１３では、ステップＳ１２のＰＲＡＣＨ送信はパワーリミテッド状態ではなく、ステップＳ１３の通知は行われない。ステップＳ１５ではＲＡＲ検出失敗が通知される。この場合、ステップＳ１６では、パワーリミテッド通知は受け取らず、ＲＡＲ検出失敗通知を受け取っているため、PREAMBLE_TRANSMISSION_COUNTERを＋１する。したがって、ステップＳ１７でＰＨＹレイヤに通知されるランプアップ量は、前回のＰＲＡＣＨ送信／再送に比べて増加する。結果、ステップＳ１８では、パワーランピングされた電力を考慮して、ＰＲＡＣＨ再送が行われる。
【００９９】
このように、本発明の一実施の形態によれば、ユーザ端末のＰＨＹレイヤとＭＡＣレイヤが連携して動作することで、デュアルコネクティビティを用いる無線通信システムにおいても、好適なＰＲＡＣＨの再送制御が可能となる。特に、従来のＬＴＥシステムで全く用いられていない、ＰＲＡＣＨのパワーリミテッド状態に関する情報をＰＨＹレイヤからＭＡＣレイヤに通知することで、ＭＡＣレイヤがパワーリミテッド状態を考慮した再送電力制御を行い、ＰＨＹレイヤに指示することができる。
【０１００】
なお、以上説明した各実施形態では、ＭＣＧ  ＰＲＡＣＨ及びＳＣＧ  ＰＲＡＣＨの同時送信の場合、ＭＣＧ  ＰＲＡＣＨを優先するものとしたが、これに限られない。例えば、ＳＣＧ  ＰＲＡＣＨを優先する場合には、図１１のパワーランピングをＭＣＧ  ＰＲＡＣＨに適用してもよい。
【０１０１】
また、例えば、ＭＣＧ  ＰＲＡＣＨではなく、ＰＣｅｌｌ  ＰＲＡＣＨを他の全てのセルより優先してもよい。この場合、上述の各実施形態において、ＭＣＧ  ＰＲＡＣＨをＰＣｅｌｌ  ＰＲＡＣＨで読み替え、ＳＣＧ  ＰＲＡＣＨを、他のＰＲＡＣＨ（例えば、ＳＣＧ  ＰＲＡＣＨ）で読み替えることができる。また、同時送信におけるパワーランピングでは、ＰＣｅｌｌ  ＰＲＡＣＨが成功した後に、上記他のＰＲＡＣＨを例えば式３のランプアップ量でランピングしてもよい。
【０１０２】
（無線通信システムの構成）
以下、本発明の一実施の形態に係る無線通信システムの構成について説明する。この無線通信システムでは、上記各実施の形態に係るＰＲＡＣＨ送信電力制御を行う無線通信方法が適用される。
【０１０３】
図１４は、本発明の一実施の形態に係る無線通信システムの一例を示す概略構成図である。図１４に示すように、無線通信システム１は、複数の無線基地局１０（１１及び１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【０１０４】
図１４において、無線基地局１１は、例えば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１及び１２の数は、図１４に示す数に限られない。
【０１０５】
マクロセルＣ１及びスモールセルＣ２では、同一の周波数帯が用いられてもよいし、異なる周波数帯が用いられてもよい。また、無線基地局１１及び１２は、基地局間インターフェース（例えば、光ファイバ、Ｘ２インターフェース）を介して互いに接続される。
【０１０６】
なお、マクロ基地局１１は、無線基地局、ｅＮｏｄｅＢ（ｅＮＢ）、送信ポイント（transmission  point）などと呼ばれてもよい。スモール基地局１２は、ピコ基地局、フェムト基地局、Ｈｏｍｅ  ｅＮｏｄｅＢ（ＨｅＮＢ）、送信ポイント、ＲＲＨ（Remote  Radio  Head）などと呼ばれてもよい。
【０１０７】
ユーザ端末２０は、ＬＴＥ、ＬＴＥ−Ａなどの各種通信方式に対応した端末であり、移動通信端末だけでなく固定通信端末を含んでいてもよい。ユーザ端末２０は、無線基地局１０を経由して他のユーザ端末２０と通信を実行できる。
【０１０８】
上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。
【０１０９】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【０１１０】
無線通信システム１では、下りリンクのチャネルとして、各ユーザ端末２０で共有される下り共有チャネル（ＰＤＳＣＨ：Physical  Downlink  Shared  Channel）報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、同期信号や、ＭＩＢ（Master  Information  Block）などが伝送される。
【０１１１】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどを伝送するために用いられてもよい。
【０１１２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号などが伝送される。ＰＲＡＣＨにより、セルとの接続確立のためのランダムアクセスプリアンブル（ＲＡプリアンブル）が伝送される。
【０１１３】
図１５は、本発明の一実施形態に係る無線基地局１０の全体構成図である。無線基地局１０（無線基地局１１及び１２を含む）は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部から構成される。
【０１１４】
下りリンクにより無線基地局１０からユーザ端末２０に送信されるユーザデータは、上位局装置３０から伝送路インターフェース１０６を介してベースバンド信号処理部１０４に入力される。
【０１１５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて各送受信部１０３に転送される。また、下り制御信号に関しても、チャネル符号化や逆高速フーリエ変換などの送信処理が行われて、各送受信部１０３に転送される。
【０１１６】
各送受信部１０３は、ベースバンド信号処理部１０４からアンテナ毎にプリコーディングして出力された下り信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置とすることができる。
【０１１７】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【０１１８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１１９】
伝送路インターフェース１０６は、所定のインターフェースを介して、上位局装置３０と信号を送受信する。また、伝送路インターフェース１０６は、基地局間インターフェース（例えば、光ファイバ、Ｘ２インターフェース）を介して隣接無線基地局と信号を送受信（バックホールシグナリング）してもよい。
【０１２０】
図１６は、本発明の一実施形態に係る無線基地局１０が有するベースバンド信号処理部１０４の主な機能構成図である。なお、図１６では、本実施の形態における特徴部分の機能ブロックを主に示しており、無線基地局１０は、無線通信に必要な他の機能ブロックも有しているものとする。
【０１２１】
図１６に示すように、無線基地局１０が有するベースバンド信号処理部１０４は、制御部（スケジューラ）３０１と、送信信号生成部３０２と、マッピング部３０３と、受信処理部３０４と、を少なくとも含んで構成されている。
【０１２２】
制御部（スケジューラ）３０１は、ＰＤＳＣＨで送信される下りデータ信号、ＰＤＣＣＨ及び／又は拡張ＰＤＣＣＨ（ＥＰＤＣＣＨ）で伝送される下り制御信号のスケジューリングを制御する。また、システム情報、同期信号、ＣＲＳ、ＣＳＩ−ＲＳなどの下り参照信号などのスケジューリングの制御も行う。また、上り参照信号、ＰＵＳＣＨで送信される上りデータ信号、ＰＵＣＣＨ及び／又はＰＵＳＣＨで送信される上り制御信号、ＰＲＡＣＨで送信されるＲＡプリアンブルなどのスケジューリングを制御する。制御部３０１は、本発明に係る技術分野での共通認識に基づいて説明されるコントローラ、制御回路又は制御装置とすることができる。
【０１２３】
制御部３０１は、ユーザ端末２０のランダムアクセス手順を適切に処理するように、送信信号生成部３０２及びマッピング部３０３を制御することができる。例えば、制御部３０１は、ユーザ端末２０に対してＭｓｇ０を送信するように制御できる。また、制御部３０１は、ＲＡプリアンブルに対してＭｓｇ２を送信するように制御できる。
【０１２４】
また、制御部３０１は、無線基地局１０に接続するユーザ端末２０の上り信号送信電力を調整するために、送信信号生成部３０２及びマッピング部３０３を制御することができる。具体的には、制御部３０１は、ユーザ端末２０から報告されるＰＨＲ（Power  Headroom  Report）やチャネル状態情報（ＣＳＩ）、上りリンクデータの誤り率、ＨＡＲＱ再送回数などに基づいて、上り信号の送信電力を制御するための送信電力制御（ＴＰＣ）コマンドを生成するように送信信号生成部３０２に指示を出し、マッピング部３０３に当該ＴＰＣコマンドを下り制御情報（ＤＣＩ）に含めてユーザ端末２０に通知するように制御することができる。これにより、無線基地局１０はユーザ端末２０に要求する上り信号の送信電力を指定することができる。
【０１２５】
送信信号生成部３０２は、制御部３０１からの指示に基づいて、ＤＬ信号（下り制御信号、下りデータ信号、下り参照信号など）を生成して、マッピング部３０３に出力する。例えば、送信信号生成部３０２は、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのＣＳＩなどに基づいて決定された符号化率、変調方式などに従って符号化処理、変調処理が行われる。送信信号生成部３０２は、本発明に係る技術分野での共通認識に基づいて説明される信号生成器、信号生成回路又は信号生成装置とすることができる。
【０１２６】
マッピング部３０３は、制御部３０１からの指示に基づいて、送信信号生成部３０２で生成された下り信号を無線リソースにマッピングして、送受信部１０３に出力する。マッピング部３０３は、本発明に係る技術分野での共通認識に基づいて説明されるマッパー、マッピング回路又はマッピング装置とすることができる。
【０１２７】
受信処理部３０４は、ユーザ端末２０から送信されるＵＬ信号（上り制御信号、上りデータ信号、上り参照信号など）に対して受信処理（例えば、デマッピング、復調、復号など）を行う。また、受信処理部３０４は、受信した信号を用いて受信電力（例えば、ＲＳＲＰ（Reference  Signal  Received  Power））やチャネル状態などについて測定してもよい。なお、処理結果や測定結果は、制御部３０１に出力されてもよい。受信処理部３０４は、本発明に係る技術分野での共通認識に基づいて説明される信号処理器、信号処理回路又は信号処理装置とすることができる。
【０１２８】
図１７は、本発明の一実施形態に係るユーザ端末２０の全体構成図である。図１７に示すように、ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、送信部及び受信部から構成されてもよい。
【０１２９】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置とすることができる。
【０１３０】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１３１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１３２】
送受信部２０３は、１つ以上のセルから構成されるセルグループ（ＣＧ）をそれぞれ設定する複数の無線基地局との間で信号を送受信することができる。例えば、送受信部２０３は、複数のＣＧに対してＵＬ信号を同時に送信することが可能である。
【０１３３】
図１８は、本発明の一実施形態に係るユーザ端末２０が有するベースバンド信号処理部２０４の主な機能構成図である。なお、図１８においては、本実施の形態における特徴部分の機能ブロックを主に示しており、ユーザ端末２０は、無線通信に必要な他の機能ブロックも有しているものとする。
【０１３４】
図１８に示すように、ユーザ端末２０が有するベースバンド信号処理部２０４は、制御部４０１と、ＭＡＣレイヤ処理部４０２と、ＰＨＹレイヤ処理部４０３と、を少なくとも含んで構成されている。
【０１３５】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、ＭＡＣレイヤ処理部４０２から取得する。制御部４０１は、下り制御信号や、下りデータ信号に対する再送制御の要否を判定した結果などに基づいて、ＵＬ信号の生成を制御する。具体的には、制御部４０１は、ＭＡＣレイヤ処理部４０２及びＰＨＹレイヤ処理部４０３の制御を行う。制御部４０１は、本発明に係る技術分野での共通認識に基づいて説明されるコントローラ、制御回路又は制御装置とすることができる。
【０１３６】
制御部４０１は、送信信号生成部を含む。送信信号生成部は、制御部４０１からの指示に基づいて、ＵＬ信号を生成して、ＭＡＣレイヤ処理部４０２に出力する。例えば、送信信号生成部は、制御部４０１からの指示に基づいて、送達確認信号（ＨＡＲＱ−ＡＣＫ）やチャネル状態情報（ＣＳＩ）などの上り制御信号を生成する。また、送信信号生成部は、制御部４０１からの指示に基づいて上りデータ信号を生成する。例えば、制御部４０１は、無線基地局１０から通知される下り制御信号にＵＬグラントが含まれている場合に、送信信号生成部に上りデータ信号の生成を指示する。送信信号生成部は、本発明に係る技術分野での共通認識に基づいて説明される信号生成器、信号生成回路又は信号生成装置とすることができる。
【０１３７】
ＭＡＣレイヤ処理部４０２は、ＭＡＣレイヤの処理を実施する。具体的には、ＰＨＹレイヤ処理部４０３から入力される下りリンクのユーザデータや報知情報などは、ＭＡＣレイヤ処理部４０２の処理を経てＲＬＣレイヤ、ＰＤＣＰレイヤなどの処理を行う上位レイヤ処理部（不図示）に出力され、上位レイヤの処理後アプリケーション部２０５に出力される。また、アプリケーション部２０５から入力される上りリンクのユーザデータなどは、上位レイヤ処理部の処理を経てＭＡＣレイヤ処理部４０２に入力され、ＭＡＣレイヤの処理後さらにＰＨＹレイヤ処理部４０３に入力される。
【０１３８】
ＭＡＣレイヤ処理部４０２は、ＵＬ信号の再送を制御する。具体的には、ＭＡＣレイヤ処理部４０２は、送受信部２０３がＭＣＧ及びＳＣＧに対してＰＲＡＣＨを同時送信する場合に、ＰＨＹレイヤ処理部４０３から通知されるＳＣＧ  ＰＲＡＣＨのパワーリミテッド状態に基づいて、ＳＣＧ  ＰＲＡＣＨの再送におけるパワーランピングを制御する。なお、ＭＡＣレイヤ処理部４０２は、ＰＨＹレイヤ処理部４０３からパワーリミテッド状態に関する通知がある又はないことにより、上記パワーリミテッド状態を判断してもよい。
【０１３９】
ここで、ＭＡＣレイヤ処理部４０２は、ＳＣＧのＰＲＡＣＨに対するＲＡＲ受信失敗回数に基づいて、パワーランピング制御を実施することができる。例えば、ＳＣＧのＰＲＡＣＨに対するＲＡＲ受信失敗回数と、送信したＳＣＧ  ＰＲＡＣＨのパワーリミテッド状態に基づいて、再送におけるランプアップ量を決定し、ＰＨＹレイヤ処理部４０３に指示する。ランプアップ量の算出には、例えば上述の式３を用いてもよい。
【０１４０】
また、ＭＡＣレイヤ処理部４０２は、ＳＣＧ  ＰＲＡＣＨの送信から所定の期間（例えば、ＲＡＲウィンドウで指定される時間）を経過しても、当該ＰＲＡＣＨに対するＲＡＲをＰＨＹレイヤ処理部４０３が受信せず、かつ、ＰＨＹレイヤ処理部４０３から当該ＰＲＡＣＨのパワーリミテッド状態に関する通知を受け取っていない場合に、上記のＲＡＲ受信失敗回数をインクリメント（＋１）してもよい。
【０１４１】
また、ＭＡＣレイヤ処理部４０２は、ＰＲＡＣＨについて、パワーランピングに係るランプアップ量だけでなく、再送のタイミングをＰＨＹレイヤ処理部４０３に指示してもよい。
【０１４２】
ＰＨＹレイヤ処理部４０３は、ＰＨＹレイヤの処理を実施する。具体的には、ＰＨＹレイヤ処理部４０３は、マッピング部を含む。マッピング部は、制御部４０１からの指示に基づいて、ＭＡＣレイヤ処理部４０２から入力された上り信号を無線リソースにマッピングして、送受信部２０３へ出力する。マッピング部は、本発明に係る技術分野での共通認識に基づいて説明されるマッパー、マッピング回路又はマッピング装置とすることができる。
【０１４３】
また、ＰＨＹレイヤ処理部４０３は、受信処理部を含む。受信処理部は、無線基地局１０から送信されるＤＬ信号に対して、受信処理（例えば、デマッピング、復調、復号など）を行い、ＭＡＣレイヤ処理部４０２に出力する。また、受信処理部は、受信した信号を用いて受信電力（ＲＳＲＰ）やチャネル状態について測定してもよい。なお、処理結果や測定結果は、ＭＡＣレイヤ処理部４０２を介して制御部４０１に出力されてもよい。受信処理部は、本発明に係る技術分野での共通認識に基づいて説明される信号処理器、信号処理回路又は信号処理装置とすることができる。
【０１４４】
ＰＨＹレイヤ処理部４０３は、ＵＬ信号の送信電力を制御する。具体的には、制御部４０１は、送受信部２０３がＭＣＧ及びＳＣＧに対してＰＲＡＣＨを同時送信する場合に、各ＰＲＡＣＨの送信電力の合計を、ＳＣＧ  ＰＲＡＣＨの送信電力を低減して許容最大送信電力（PCMAX）以下とするように制御する（第１〜第３の実施形態）。ここで、ＳＣＧ  ＰＲＡＣＨの送信電力だけでなく、ＭＣＧ  ＰＲＡＣＨの送信電力も低減することで制御してもよい（第２の実施形態）。また、ドロッピングによりＳＣＧ  ＰＲＡＣＨの送信電力を０にする制御を実施してもよい（第３の実施形態）。
【０１４５】
また、ＰＨＹレイヤ処理部４０３は、ＭＡＣレイヤ処理部４０２から入力される指示（例えば、ＰＲＡＣＨ再送時の送信電力のランプアップ量を含む）に基づいて、ＰＲＡＣＨの送信電力を決定する。
【０１４６】
また、ＰＨＹレイヤ処理部４０３は、ＳＣＧ  ＰＲＡＣＨの送信から所定の期間で当該ＰＲＡＣＨに対するＲＡＲを受信しない場合に、ＭＡＣレイヤ処理部４０２に対してＲＡＲ受信失敗を通知してもよい。
【０１４７】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１４８】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ）と、ネットワーク接続用の通信インターフェースと、メモリと、プログラムを保持したコンピュータ読み取り可能な記憶媒体と、を含むコンピュータ装置によって実現されてもよい。
【０１４９】
ここで、プロセッサやメモリなどは情報を通信するためのバスで接続される。また、コンピュータ読み取り可能な記録媒体は、例えば、フレキシブルディスク、光磁気ディスク、ＲＯＭ、ＥＰＲＯＭ、ＣＤ−ＲＯＭ、ＲＡＭ、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１５０】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１５１】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１５２】
１…無線通信システム
１０…無線基地局
１１…無線基地局（マクロ基地局）
１２…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１、４０１…制御部
３０２…送信信号生成部
３０３…マッピング部
３０４…受信処理部
４０２…ＭＡＣレイヤ処理部
４０３…ＰＨＹレイヤ処理部
【要約】
【課題】デュアルコネクティビティを用いる無線通信システムにおいて、システムのスループット低下を抑制すること。
【解決手段】本発明の一態様に係るユーザ端末は、１つ以上のセルから構成されるセルグループをそれぞれ設定する複数の無線基地局と通信を行い、各セルグループのＵＬ信号の送信電力を制御するＰＨＹレイヤ処理部と、ＵＬ信号の再送を制御するＭＡＣレイヤ処理部と、を有する。ＰＨＹレイヤ処理部は、同時送信されるマスタ基地局に対する第１のＰＲＡＣＨと、セカンダリ基地局に対する第２のＰＲＡＣＨと、の合計送信電力を、前記ＭＡＣレイヤ処理部の指示に基づいて、第２のＰＲＡＣＨの送信電力を低減して許容最大送信電力以下とするように制御し、ＭＡＣレイヤ処理部は、ＰＨＹレイヤ処理部から報告される第２のＰＲＡＣＨのパワーリミテッド状態に関する通知に基づいて、第２のＰＲＡＣＨの再送におけるパワーランピングを制御する。
【選択図】図１１【図１】
0005864691.tif 000004
【図２】
0005864691.tif 000005
【図３】
0005864691.tif 000006
【図４】
0005864691.tif 000007
【図５】
0005864691.tif 000008
【図６】
0005864691.tif 000009
【図７】
0005864691.tif 000010
【図８】
0005864691.tif 000011
【図９】
0005864691.tif 000012
【図１０】
0005864691.tif 000013
【図１１】
0005864691.tif 000014
【図１２】
0005864691.tif 000015
【図１３】
0005864691.tif 000016
【図１４】
0005864691.tif 000017
【図１５】
0005864691.tif 000018
【図１６】
0005864691.tif 000019
【図１７】
0005864691.tif 000020
【図１８】
0005864691.tif 000021